(57)【要約】【課題】誤り訂正符号後から誤り訂正復号間の残留誤り数を検出するのに、受信装置において残留誤り数を検出するためのＩＣを不要にする。【解決手段】送信装置１に、検査用信号を生成する検査用信号生成部１５Ａと、生成された検査用信号をＦＥＣフレーム信号のオーバーヘッド領域に挿入する検査用信号挿入部１６Ａとを備え、受信装置２に、伝送されたＦＥＣフレーム信号のオーバーヘッド領域に挿入された検査用信号を抽出する検査用信号抽出部２３Ａと、検査用信号を生成する検査用信号生成部２４Ａと、抽出された検査用信号と生成された検査用信号を照合して残留誤り数を検出する検査用信号照合部２５Ａを備える。【選択図】        図１
2004222073.tif 000002
【特許請求の範囲】
【請求項１】
送信装置から光伝送経路を介してＦＥＣ（Ｆｏｒｗａｒｄ  Ｅｒｒｏｒ  Ｃｏｒｒｅｃｔｉｏｎ）フレーム信号を受信装置に伝送する場合に、上記送信装置による誤り訂正符号後から上記受信装置による誤り訂正復号間の残留誤り数を検出する残留誤り数検出方式において、
上記送信装置に、検査用信号を生成する第１の検査用信号生成部と、生成された検査用信号を上記ＦＥＣフレーム信号のオーバーヘッド領域に挿入する検査用信号挿入部とを備え、
上記受信装置に、伝送された上記ＦＥＣフレーム信号のオーバーヘッド領域に挿入された検査用信号を抽出する検査用信号抽出部と、初期設定時に上記抽出された検査用信号により同期確立を行い検査用信号を生成する第２の検査用信号生成部と、上記検査用信号抽出部により抽出された検査用信号と上記第２の検査用信号生成部により生成された検査用信号を照合して残留誤り数を検出する検査用信号照合部とを備えたことを特徴とする残留誤り数検出方式。
【請求項２】
第１及び第２の検査用信号生成部は検査用信号としてＰＮ（Ｐｓｅｕｄｏ  Ｎｏｉｓｅ）信号を生成することを特徴とする請求項１記載の残留誤り数検出方式。
【請求項３】
第１及び第２の検査用信号生成部は検査用信号として固定パターン信号を生成することを特徴とする請求項１記載の残留誤り数検出方式。
【請求項４】
光伝送経路を介してＦＥＣフレーム信号を受信する場合に、送信側の誤り訂正符号後から誤り訂正復号間の残留誤り数を検出する受信装置において、
送信された上記ＦＥＣフレーム信号のオーバーヘッド領域に挿入された検査用信号を抽出する検査用信号抽出部と、
初期設定時に上記抽出された検査用信号により同期確立を行い検査用信号を生成する検査用信号生成部と、
上記検査用信号抽出部により抽出された検査用信号と上記検査用信号生成部により生成された検査用信号を照合して残留誤り数を検出する検査用信号照合部とを備えたことを特徴とする受信装置。
【請求項５】
検査用信号抽出部は検査用信号としてＰＮ信号を抽出し、検査用信号生成部は検査用信号としてＰＮ信号を生成することを特徴とする請求項４記載の受信装置。
【請求項６】
検査用信号抽出部は検査用信号として固定パターン信号を抽出し、検査用信号生成部は検査用信号として固定パターン信号を生成することを特徴とする請求項４記載の受信装置。
【請求項７】
光伝送経路を介してＦＥＣフレーム信号を伝送する送信装置において、
誤り訂正符号後から受信側の誤り訂正復号間の残留誤り数を検出するための検査用信号を生成する検査用信号生成部と、
生成された検査用信号を上記ＦＥＣフレーム信号のオーバーヘッド領域に挿入する検査用信号挿入部とを備えたことを特徴とする送信装置。
【請求項８】
検査用信号生成部は検査用信号としてＰＮ信号を生成することを特徴とする請求項７記載の送信装置。
【請求項９】
検査用信号生成部は検査用信号として固定パターン信号を生成することを特徴とする請求項７記載の送信装置。
【発明の詳細な説明】
【０００１】
【発明の属する技術分野】
この発明は長距離光伝送システムにおける誤り訂正符号後から誤り訂正復号間の残留誤り数を検出するための残留誤り数検出方式、受信装置及び送信装置に関するものである。
【０００２】
【従来の技術】
図７は従来の誤り訂正符号後から誤り訂正復号間の残留誤り数検出方式を示す構成図である。図７に示すように、送信装置１は、Ｏ／Ｅ変換部１０１、Ｂ１バイト監視部１０２、信号変換部１０３、オーバーヘッドデータ挿入部１０４、ＦＥＣ誤り訂正符号部１０５、Ｅ／Ｏ変換部１０６により構成されている。また、受信装置２は、Ｏ／Ｅ変換部２０１、ＦＥＣフレーム終端部２０２、ＦＥＣ誤り訂正復号部２０３、信号変換部２０４、Ｂ１バイト監視部２０５、Ｅ／Ｏ変換部２０６により構成されている。
【０００３】
次に動作について説明する。
送信装置１において、Ｏ／Ｅ変換部１０１は入力されたＳＤＨ（Ｓｙｎｃｈｒｏｎｏｕｓ  Ｄｉｇｉｔａｌ  Ｈｉｅｒａｃｈｙ）フレーム信号を光信号から電気信号へ変換し、Ｂ１バイト監視部１０２はＳＤＨフレーム信号のＢ１バイトを監視して入力されたＳＤＨフレーム信号の誤り数を検出し、信号変換部１０３はＳＤＨフレーム信号をＦＥＣ（Ｆｏｒｗａｒｄ  Ｅｒｒｏｒ  Ｃｏｒｒｅｃｔｉｏｎ）フレーム信号に変換する。オーバーヘッドデータ挿入部１０４はＦＥＣフレーム信号のオーバーヘッド領域にオーバーヘッドデータを挿入し、ＦＥＣ誤り訂正符号部１０５は誤り訂正符号を行い、Ｅ／Ｏ変換部１０６はＦＥＣフレーム信号を電気信号から光信号に変換し光伝送経路を介して受信装置２へ送信する。
【０００４】
受信装置２において、Ｏ／Ｅ変換部２０１は入力されたＦＥＣフレーム信号を光信号から電気信号に変換し、ＦＥＣフレーム終端部２０２はＦＥＣフレーム信号を終端してオーバーヘッドデータの抽出を行い、ＦＥＣ誤り訂正復号部２０３は誤り訂正復号を行う。信号変換部２０４はＦＥＣフレーム信号をＳＤＨフレーム信号に変換後、Ｂ１バイト監視部２０５はＳＤＨフレーム信号のＢ１バイトを監視して誤り数を検出し、Ｅ／Ｏ変換部２０６がＳＤＨフレーム信号を電気信号から光信号に変換して出力する。
【０００５】
このように、従来の残留誤り数検出方式では、誤り訂正符号後から誤り訂正復号間の残留誤り数を検出する場合に、受信装置２において、ＦＥＣフレーム信号からＳＤＨフレーム信号に変換後、Ｂ１バイト監視部２０５がＳＤＨフレーム信号のＢ１バイトを監視して残留誤り数を検出している。
【０００６】
また、非特許文献１に記載されたＯＴＮ（Ｏｐｔｉｃａｌ  Ｔｒａｎｓｐｏｒｔ  Ｎｅｔｗｏｒｋ）フレーム方式では、誤り訂正符号後から誤り訂正復号間の残留誤り数をＢＩＰ−８演算により検出している。ここでは、送信装置において、出力する１フレーム分のデータを８ビット毎にＥＸ−ＯＲ演算（排他的論理和演算）を行い、１フレーム分の演算を終了すると８ビットの演算結果が残り、この演算結果を受信装置に出力する。受信装置において、受信した１フレーム分のデータについて同様に８ビット毎にＥＸ−ＯＲ演算を行い、受信装置における演算結果と送信装置から出力された演算結果を比較して残留誤り数を検出する。
【０００７】
【非特許文献１】
ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ−Ｔｅｌｅｃｏｍｍｕｎｉｃａｔｉｏｎ  Ｓｔａｎｄａｒｄｉｚａｔｉｏｎ  Ｓｅｃｔｏｒ、国際電気通信連合−電気通信標準化部門）勧告Ｇ．７０９、“Ｉｎｔｅｒｆａｃｅ  ｆｏｒ  ｔｈｅ  ｏｐｔｉｃａｌ  ｔｒａｎｓｐｏｒｔ  ｎｅｔｗｏｒｋ（ＯＴＮ）”、２００１年２月
【０００８】
【発明が解決しようとする課題】
従来の誤り訂正符号後から誤り訂正復号間の残留誤り数検出方式は以上のように構成されているので、図７に示す従来の技術においては、残留誤り数を検出するのに、受信装置２にＢ１バイト監視部１０２のＩＣが必要になると共に、ＳＤＨフレーム信号のＢ１バイトを監視するために、送信装置１の入力信号がＳＤＨフレーム信号でなければ残留誤り数を検出することができないという課題があった。
また、送信装置１の入力信号に既に誤りが含まれている場合には、受信装置２により検出された誤り数の中に、既に送信装置１の入力信号に含まれている誤り数も含まれるため、残留誤り数を正確に検出できないという課題があった。
【０００９】
また、非特許文献１の従来の技術においては、残留誤り数をＢＩＰ−８演算により検出しているため、誤り数が増えているのに、演算結果は誤り数が減っているように変化することがあるので、正確な残留誤り数を検出できないという課題があった。
【００１０】
この発明は上記のような課題を解決するためになされたもので、誤り訂正符号後から誤り訂正復号間の残留誤り数を検出するのに、受信装置において残留誤り数を検出するためのＩＣを不要にし、また、送信装置の入力信号のフレーム構成に左右されず、さらに、送信装置の入力信号に既に含まれている誤り数に影響されず正確に、また、検出の精度を向上させた、誤り訂正符号後から誤り訂正復号間の残留誤り数を検出できる残留誤り数検出方式、受信装置及び送信装置を得ることを目的とする。
【００１１】
【課題を解決するための手段】
この発明に係る残留誤り数検出方式は、送信装置に、検査用信号を生成する第１の検査用信号生成部と、生成された検査用信号をＦＥＣフレーム信号のオーバーヘッド領域に挿入する検査用信号挿入部とを備え、受信装置に、伝送されたＦＥＣフレーム信号のオーバーヘッド領域に挿入された検査用信号を抽出する検査用信号抽出部と、初期設定時に上記抽出された検査用信号により同期確立を行い検査用信号を生成する第２の検査用信号生成部と、検査用信号抽出部により抽出された検査用信号と第２の検査用信号生成部により生成された検査用信号を照合して残留誤り数を検出する検査用信号照合部とを備えたものである。
【００１２】
【発明の実施の形態】
以下、この発明の実施の一形態を説明する。
実施の形態１．
図１はこの発明の実施の形態１による誤り訂正符号後から誤り訂正復号間の残留誤り数検出方式を示す構成図である。図１に示すように、送信装置１は、Ｏ／Ｅ変換部１１、Ｂ１バイト監視部１２、信号変換部１３、オーバーヘッドデータ挿入部１４、検査用信号生成部（第１の検査用信号生成部）１５Ａ、検査用信号挿入部１６Ａ、ＦＥＣ誤り訂正符号部１７、Ｅ／Ｏ変換部１８により構成されている。
【００１３】
また、図１に示すように、受信装置２は、Ｏ／Ｅ変換部２１、ＦＥＣフレーム終端部２２、検査用信号抽出部２３Ａ、検査用信号生成部（第２の検査用信号生成部）２４Ａ、検査用信号照合部２５Ａ、ＦＥＣ誤り訂正復号部２６、信号変換部２７、Ｅ／Ｏ変換部２８により構成されている。
【００１４】
なお、送信装置１における検査用信号生成部１５Ａ、検査用信号挿入部１６Ａ、及び受信装置２における検査用信号抽出部２３Ａ、検査用信号生成部２４Ａ、検査用信号照合部２５Ａは、従来の図７におけるＢ１バイト監視部２０５に比べて論理回路の構成が簡単であり、外部のＦＰＧＡ（Ｆｉｅｌｄ  Ｐｒｏｇｒａｍｍａｂｌｅ  Ｇａｔｅ  Ａｒｒａｙｓ）の空き容量で回路構成を実現することができる。
【００１５】
次に動作について説明する。
送信装置１において、Ｏ／Ｅ変換部１１は入力されたＳＤＨフレーム信号を光信号から電気信号へ変換し、Ｂ１バイト監視部１２はＳＤＨフレーム信号のＢ１バイトを監視して入力されたＳＤＨフレーム信号の誤り数を検出し、信号変換部１３はＳＤＨフレーム信号をＦＥＣフレーム信号に変換する。オーバーヘッドデータ挿入部１４はＦＥＣフレーム信号のオーバーヘッド領域にオーバーヘッドデータを挿入する。
【００１６】
また、検査用信号挿入部１６Ａは、検査用信号生成部１５Ａにより生成された検査用信号を、ＦＥＣフレーム信号のオーバーヘッド領域の特定未使用バイトに挿入する。ＦＥＣ誤り訂正符号部１７は誤り訂正符号を行い、Ｅ／Ｏ変換部１８はＦＥＣフレーム信号を電気信号から光信号に変換し光伝送経路を介して受信装置２へ送信する。
【００１７】
受信装置２において、Ｏ／Ｅ変換部２１は入力されたＦＥＣフレーム信号を光信号から電気信号に変換し、ＦＥＣフレーム終端部２２はＦＥＣフレーム信号を終端して、ＦＥＣフレーム信号のオーバーヘッドデータを抽出する。
【００１８】
また、検査用信号抽出部２３ＡはＦＥＣフレーム信号のオーバーヘッド領域の特定未使用バイトに挿入された検査用信号を抽出し、検査用信号照合部２５Ａは、検査用信号生成部２４Ａにより生成された検査用信号と抽出された検査用信号とを照合して残留誤り数をカウントする。
【００１９】
このとき、送信装置１の検査用信号生成部１５Ａと受信装置２の検査用信号生成部２４Ａの同期確立は以下のようにして行われる。初期設定時に、検査用信号生成部２４Ａは、送信装置１から送信され検査用信号抽出部２３Ａにより抽出された検査用信号のレジスタ値、例えば８ビットをロードして検査用信号を生成する。検査用信号照合部２５Ａは、検査用信号生成部２４Ａにより生成された検査用信号と、送信装置１から送信される検査用信号を比較して、連続して値が一致したときに同期確立となり、その後、残留誤り数のカウントを開始する。
【００２０】
ＦＥＣ誤り訂正復号部２６は誤り訂正復号を行い、信号変換部２７はＦＥＣフレーム信号をＳＤＨフレーム信号に変換し、Ｅ／Ｏ変換部２８は電気信号から光信号に変換してＳＤＨフレーム信号を出力する。
【００２１】
以上のように、この実施の形態１によれば、送信装置１で検査用信号をＦＥＣフレーム信号のオーバーヘッド領域の特定未使用バイトに挿入し、受信装置２でＦＥＣフレーム信号のオーバーヘッド領域の特定未使用バイトに挿入された検査用信号を抽出して残留誤り数を検出することにより、外部のＦＰＧＡの空き容量で実現できる程度に論理回路構成を簡単にすることができ、受信装置２において残留誤り数を検出するためのＩＣを不要にすることができるという効果が得られる。
【００２２】
また、送信装置１の入力信号のフレーム構成に左右されず、さらに、送信装置１の入力信号に既に含まれている誤り数に影響されず正確に、また、検出の精度を向上させた、誤り訂正符号後から誤り訂正復号間の残留誤り数を検出できるという効果が得られる。
【００２３】
実施の形態２．
図２はこの発明の実施の形態２による誤り訂正符号後から誤り訂正復号間の残留誤り数検出方式を示す構成図であり、図２において、送信装置１は、実施の形態１の図１に示す送信装置１と比較して、Ｏ／Ｅ変換部１１の入力信号がＳＤＨフレーム信号の代わりにフレームのない信号であり、Ｂ１バイト監視部１２が削除されている点が異なっている。また、受信装置２は、実施の形態１の図１に示す受信装置２と比較して、Ｅ／Ｏ変換部２８の出力信号がＳＤＨフレーム信号の代わりにフレームのない信号である点が異なっている。
【００２４】
次に動作について説明する。
送信装置１において、Ｏ／Ｅ変換部１１は入力されたフレームのない信号を光信号から電気信号へ変換し、信号変換部１３はフレームのない信号をＦＥＣフレーム信号に変換する。ここで、フレームのない信号とは、例えばＡＬＬ“０”信号やＡＬＬ“１”信号や“０１”交番信号等のフレームの概念がない信号を示している。
【００２５】
その他のオーバーヘッドデータ挿入部１４、検査用信号生成部１５Ａ、検査用信号挿入部１６Ａ、ＦＥＣ誤り訂正符号部１７及びＥ／Ｏ変換部１８の動作は、実施の形態１と同様である。
【００２６】
受信装置２において、Ｏ／Ｅ変換部２１、ＦＥＣフレーム終端部２２、検査用信号抽出部２３Ａ、検査用信号生成部２４Ａ、検査用信号照合部２５Ａ、ＦＥＣ誤り訂正復号部２６の動作は実施の形態１と同様である。信号変換部２７はＦＥＣフレーム信号をフレームのない信号に変換し、Ｅ／Ｏ変換部２８は電気信号から光信号に変換してフレームのない信号を出力する。
【００２７】
以上のように、この実施の形態２によれば、送信装置１で検査用信号をＦＥＣフレーム信号のオーバーヘッド領域の特定未使用バイトに挿入し、受信装置２でＦＥＣフレーム信号のオーバーヘッド領域の特定未使用バイトに挿入された検査用信号を抽出して残留誤り数を検出することにより、外部のＦＰＧＡの空き容量で実現できる程度に論理回路構成を簡単にすることができ、受信装置２において残留誤り数を検出するためのＩＣを不要にすることができるという効果が得られる。
【００２８】
また、送信装置１の入力信号の種類に左右されず、さらに、送信装置１の入力信号に既に含まれている誤り数に影響されず正確に、また、検出の精度を向上させた、誤り訂正符号後から誤り訂正復号間の残留誤り数を検出できるという効果が得られる。
【００２９】
実施の形態３．
図３はこの発明の実施の形態３による誤り訂正符号後から誤り訂正復号間の残留誤り数検出方式を示す構成図である。図３において、送信装置１は、実施の形態１の図１に示す送信装置１における検査用信号生成部１５Ａ、検査用信号挿入部１６Ａを、それぞれＰＮ（Ｐｓｅｕｄｏ  Ｎｏｉｓｅ）信号生成部１５Ｂ、ＰＮ信号挿入部１６Ｂに置き換えた構成となっている。
【００３０】
また、図３において、受信装置２は、実施の形態１の図１に示す受信装置２における検査用信号抽出部２３Ａ、検査用信号生成部２４Ａ、検査用信号照合部２５Ａを、それぞれＰＮ信号抽出部２３Ｂ、ＰＮ信号生成部２４Ｂ、ＰＮ信号照合部２５Ｂに置き換えた構成となっている。
【００３１】
この実施の形態３では、実施の形態１における検査用信号としてＰＮ信号（疑似雑音信号）を使用している。そして、送信装置１におけるＰＮ信号生成部１５Ｂ、ＰＮ信号挿入部１６Ｂ、及び受信装置２におけるＰＮ信号抽出部２３Ｂ、ＰＮ信号生成部２４Ｂ、ＰＮ信号照合部２５Ｂは、従来の図７におけるＢ１バイト監視部２０５に比べて論理回路の構成が簡単であり、外部のＦＰＧＡの空き容量で回路構成を実現することができる。
【００３２】
次に動作について説明する。
送信装置１において、Ｏ／Ｅ変換部１１、Ｂ１バイト監視部１２、信号変換部１３、オーバーヘッドデータ挿入部１４の動作は実施の形態１と同様である。ＰＮ信号挿入部１６Ｂは、ＰＮ信号生成部１５Ｂにより生成されたＰＮ信号を、ＦＥＣフレーム信号のオーバーヘッド領域の特定未使用バイトに挿入する。また、ＦＥＣ誤り訂正符号部１７、Ｅ／Ｏ変換部１８の動作も実施の形態１と同様である。
【００３３】
受信装置２において、Ｏ／Ｅ変換部２１、ＦＥＣフレーム終端部２２の動作は実施の形態１と同様である。
【００３４】
また、ＰＮ信号抽出部２３ＢはＦＥＣフレーム信号のオーバーヘッド領域の特定未使用バイトに挿入されたＰＮ信号を抽出し、ＰＮ信号照合部２５Ｂは、ＰＮ信号生成部２４Ｂにより生成されたＰＮ信号と抽出されたＰＮ信号とを照合して残留誤り数をカウントする。
【００３５】
このとき、送信装置１のＰＮ信号生成部１５Ｂと受信装置２のＰＮ信号生成部２４Ｂの同期確立は以下のようにして行われる。初期設定時に、ＰＮ信号生成部２４Ｂは、送信装置１から送信されＰＮ信号抽出部２３Ｂにより抽出されたＰＮ信号のレジスタ値、例えばＰＮ２３段であれば２３ビットを、ＰＮ７段であれば７ビットをロードしてＰＮ信号を生成する。ＰＮ信号照合部２５Ｂは、ＰＮ信号生成部２４Ｂにより生成されたＰＮ信号と、送信装置１から送信されるＰＮ信号を比較して、連続して値が一致したときに同期確立となり、その後、残留誤り数のカウントを開始する。
【００３６】
また、ＦＥＣ誤り訂正復号部２６、信号変換部２７、Ｅ／Ｏ変換部２８の動作は実施の形態１と同様である。
【００３７】
以上のように、この実施の形態３によれば、送信装置１でＰＮ信号をＦＥＣフレーム信号のオーバーヘッド領域の特定未使用バイトに挿入し、受信装置２でＦＥＣフレーム信号のオーバーヘッド領域の特定未使用バイトに挿入されたＰＮ信号を抽出して残留誤り数を検出することにより、外部のＦＰＧＡの空き容量で実現できる程度に論理回路構成を簡単にすることができ、受信装置２において残留誤り数を検出するためのＩＣを不要にすることができるという効果が得られる。
【００３８】
また、送信装置１の入力信号のフレーム構成に左右されず、さらに、送信装置１の入力信号に既に含まれている誤り数に影響されず正確に、また、検出の精度を向上させた、誤り訂正符号後から誤り訂正復号間の残留誤り数を検出できるという効果が得られる。
【００３９】
実施の形態４．
図４はこの発明の実施の形態４による誤り訂正符号後から誤り訂正復号間の残留誤り数検出方式を示す構成図であり、図４において、送信装置１は、実施の形態３の図３に示す送信装置１と比較して、Ｏ／Ｅ変換部１１の入力信号がＳＤＨフレーム信号の代わりにフレームのない信号であり、Ｂ１バイト監視部１２が削除されている点が異なっている。また、受信装置２は、実施の形態３の図３に示す受信装置２と比較して、Ｅ／Ｏ変換部２８の出力信号がＳＤＨフレーム信号の代わりにフレームのない信号である点が異なっている。
【００４０】
次に動作について説明する。
送信装置１において、Ｏ／Ｅ変換部１１は入力されたフレームのない信号を光信号から電気信号へ変換し、信号変換部１３はフレームのない信号をＦＥＣフレーム信号に変換する。その他のオーバーヘッドデータ挿入部１４、ＰＮ信号生成部１５Ｂ、ＰＮ信号挿入部１６Ｂ、ＦＥＣ誤り訂正符号部１７及びＥ／Ｏ変換部１８の動作は、実施の形態３と同様である。
【００４１】
受信装置２において、Ｏ／Ｅ変換部２１、ＦＥＣフレーム終端部２２、ＰＮ信号抽出部２３Ｂ、ＰＮ信号生成部２４Ｂ、ＰＮ信号照合部２５Ｂ、ＦＥＣ誤り訂正復号部２６の動作は実施の形態３と同様である。信号変換部２７はＦＥＣフレーム信号をフレームのない信号に変換し、Ｅ／Ｏ変換部２８は電気信号から光信号に変換してフレームのない信号を出力する。
【００４２】
以上のように、この実施の形態４によれば、送信装置１でＰＮ信号をＦＥＣフレーム信号のオーバーヘッド領域の特定未使用バイトに挿入し、受信装置２でＦＥＣフレーム信号のオーバーヘッド領域の特定未使用バイトに挿入されたＰＮ信号を抽出して残留誤り数を検出することにより、外部のＦＰＧＡの空き容量で実現できる程度に論理回路構成を簡単にすることができ、受信装置２において残留誤り数を検出するためのＩＣを不要にすることができるという効果が得られる。
【００４３】
また、送信装置１の入力信号の種類に左右されず、さらに、送信装置１の入力信号に既に含まれている誤り数に影響されず正確に、また、検出の精度を向上させた、誤り訂正符号後から誤り訂正復号間の残留誤り数を検出できるという効果が得られる。
【００４４】
実施の形態５．
図５はこの発明の実施の形態５による誤り訂正符号後から誤り訂正復号間の残留誤り数検出方式を示す構成図である。図５において、送信装置１は、実施の形態１の図１に示す送信装置１における検査用信号生成部１５Ａ、検査用信号挿入部１６Ａを、それぞれ固定パターン信号生成部１５Ｃ、固定パターン信号挿入部１６Ｃに置き換えた構成となっている。
【００４５】
また、図５において、受信装置２は、実施の形態１の図１に示す受信装置２における検査用信号抽出部２３Ａ、検査用信号生成部２４Ａ、検査用信号照合部２５Ａを、それぞれ固定パターン信号抽出部２３Ｃ、固定パターン信号生成部２４Ｃ、固定パターン信号照合部２５Ｃに置き換えた構成となっている。
【００４６】
この実施の形態５では、実施の形態１における検査用信号として、例えば“０１０１・・・”等の固定パターン信号を使用している。そして、送信装置１における固定パターン信号生成部１５Ｃ、固定パターン信号挿入部１６Ｃ、及び受信装置２における固定パターン信号抽出部２３Ｃ、固定パターン信号生成部２４Ｃ、固定パターン信号照合部２５Ｃは、従来の図７におけるＢ１バイト監視部２０５に比べて論理回路の構成が簡単であり、外部のＦＰＧＡの空き容量で回路構成を実現することができる。
【００４７】
次に動作について説明する。
送信装置１において、Ｏ／Ｅ変換部１１、Ｂ１バイト監視部１２、信号変換部１３、オーバーヘッドデータ挿入部１４の動作は実施の形態１と同様である。固定パターン信号挿入部１６Ｃは、固定パターン信号生成部１５Ｃにより生成された固定パターン信号を、ＦＥＣフレーム信号のオーバーヘッド領域の特定未使用バイトに挿入する。また、ＦＥＣ誤り訂正符号部１７、Ｅ／Ｏ変換部１８の動作も実施の形態１と同様である。
【００４８】
受信装置２において、Ｏ／Ｅ変換部２１、ＦＥＣフレーム終端部２２の動作は実施の形態１と同様である。
【００４９】
固定パターン信号抽出部２３ＣはＦＥＣフレーム信号のオーバーヘッド領域の特定未使用バイトに挿入された固定パターン信号を抽出し、固定パターン信号照合部２５Ｃは、固定パターン信号生成部２４Ｃにより生成された固定パターン信号と抽出された固定パターン信号とを照合して残留誤り数をカウントする。
【００５０】
このとき、送信装置１の固定パターン信号生成部１５Ｃと受信装置２の固定パターン信号生成部２４Ｃの同期確立は以下のようにして行われる。初期設定時に、固定パターン信号生成部２４Ｃは、送信装置１から送信され固定パターン信号抽出部２３Ｃにより抽出された固定パターン信号のレジスタ値、例えば８ビットをロードして固定パターン信号を生成する。固定パターン信号照合部２５Ｃは、固定パターン信号生成部２４Ｃにより生成された固定パターン信号と、送信装置１から送信される固定パターン信号を比較して、連続して値が一致したときに同期確立となり、その後、残留誤り数のカウントを開始する。
【００５１】
また、ＦＥＣ誤り訂正復号部２６、信号変換部２７、Ｅ／Ｏ変換部２８の動作は実施の形態１と同様である。
【００５２】
以上のように、この実施の形態５によれば、送信装置１で固定パターン信号をＦＥＣフレーム信号のオーバーヘッド領域の特定未使用バイトに挿入し、受信装置２でＦＥＣフレーム信号のオーバーヘッド領域の特定未使用バイトに挿入された固定パターン信号を抽出して残留誤り数を検出することにより、外部のＦＰＧＡの空き容量で実現できる程度に論理回路構成を簡単にすることができ、受信装置２において残留誤り数を検出するためのＩＣを不要にすることができるという効果が得られる。
【００５３】
また、送信装置１の入力信号のフレーム構成に左右されず、さらに、送信装置１の入力信号に既に含まれている誤り数に影響されず正確に、また、検出の精度を向上させた、誤り訂正符号後から誤り訂正復号間の残留誤り数を検出できるという効果が得られる。
【００５４】
実施の形態６．
図６はこの発明の実施の形態６による誤り訂正符号後から誤り訂正復号間の残留誤り数検出方式を示す構成図であり、図６において、送信装置１は、実施の形態５の図５に示す送信装置１と比較して、Ｏ／Ｅ変換部１１の入力信号がＳＤＨフレーム信号の代わりにフレームのない信号であり、Ｂ１バイト監視部１２が削除されている点が異なっている。また、受信装置２は、実施の形態５の図５に示す受信装置２と比較して、Ｅ／Ｏ変換部２８の出力信号がＳＤＨフレーム信号の代わりにフレームのない信号である点が異なっている。
【００５５】
次に動作について説明する。
送信装置１において、Ｏ／Ｅ変換部１１は入力されたフレームのない信号を光信号から電気信号へ変換し、信号変換部１３はフレームのない信号をＦＥＣフレーム信号に変換する。その他のオーバーヘッドデータ挿入部１４、固定パターン信号生成部１５Ｃ、固定パターン信号挿入部１６Ｃ、ＦＥＣ誤り訂正符号部１７及びＥ／Ｏ変換部１８の動作は、実施の形態５と同様である。
【００５６】
受信装置２において、Ｏ／Ｅ変換部２１、ＦＥＣフレーム終端部２２、固定パターン信号抽出部２３Ｃ、固定パターン信号生成部２４Ｃ、固定パターン信号照合部２５Ｃ、ＦＥＣ誤り訂正復号部２６の動作は実施の形態５と同様である。信号変換部２７はＦＥＣフレーム信号をフレームのない信号に変換し、Ｅ／Ｏ変換部２８は電気信号から光信号に変換してフレームのない信号を出力する。
【００５７】
以上のように、この実施の形態６によれば、送信装置１で固定パターン信号をＦＥＣフレーム信号のオーバーヘッド領域の特定未使用バイトに挿入し、受信装置２でＦＥＣフレーム信号のオーバーヘッド領域の特定未使用バイトに挿入された固定パターン信号を抽出して残留誤り数を検出することにより、外部のＦＰＧＡの空き容量で実現できる程度に論理回路構成を簡単にすることができ、受信装置２において残留誤り数を検出するためのＩＣを不要にすることができるという効果が得られる。
【００５８】
また、送信装置１の入力信号の種類に左右されず、さらに、送信装置１の入力信号に既に含まれている誤り数に影響されず正確に、また、検出の精度を向上させた、誤り訂正符号後から誤り訂正復号間の残留誤り数を検出できるという効果が得られる。
【００５９】
【発明の効果】
以上のように、この発明によれば、送信装置に、検査用信号を生成する第１の検査用信号生成部と、生成された検査用信号をＦＥＣフレーム信号のオーバーヘッド領域に挿入する検査用信号挿入部とを備え、受信装置に、伝送されたＦＥＣフレーム信号のオーバーヘッド領域に挿入された検査用信号を抽出する検査用信号抽出部と、初期設定時に上記抽出された検査用信号により同期確立を行い検査用信号を生成する第２の検査用信号生成部と、検査用信号抽出部により抽出された検査用信号と第２の検査用信号生成部により生成された検査用信号を照合して残留誤り数を検出する検査用信号照合部とを備えたことにより、残留誤り数を検出するための論理回路構成を簡単にすることができ、受信装置２において残留誤り数を検出するためのＩＣを不要にすることができると共に、送信装置１の入力信号の種類に左右されず、送信装置１の入力信号に既に含まれている誤り数に影響されず正確に、また、検出の精度を向上させた、誤り訂正符号後から誤り訂正復号間の残留誤り数を検出できるという効果がある。
【図面の簡単な説明】
【図１】この発明の実施の形態１による誤り訂正符号後から誤り訂正復号間の残留誤り数検出方式を示す構成図である。
【図２】この発明の実施の形態２による誤り訂正符号後から誤り訂正復号間の残留誤り数検出方式を示す構成図である。
【図３】この発明の実施の形態３による誤り訂正符号後から誤り訂正復号間の残留誤り数検出方式を示す構成図である。
【図４】この発明の実施の形態４による誤り訂正符号後から誤り訂正復号間の残留誤り数検出方式を示す構成図である。
【図５】この発明の実施の形態５による誤り訂正符号後から誤り訂正復号間の残留誤り数検出方式を示す構成図である。
【図６】この発明の実施の形態６による誤り訂正符号後から誤り訂正復号間の残留誤り数検出方式を示す構成図である。
【図７】従来の誤り訂正符号後から誤り訂正復号間の残留誤り数検出方式を示す構成図である。
【符号の説明】
１  送信装置、２  受信装置、１１  Ｏ／Ｅ変換部、１２  Ｂ１バイト監視部、１３  信号変換部、１４  オーバーヘッドデータ挿入部、１５Ａ  検査用信号生成部、１５Ｂ  ＰＮ信号生成部、１５Ｃ  固定パターン信号生成部、１６Ａ  検査用信号挿入部、１６Ｂ  ＰＮ信号挿入部、１６Ｃ  固定パターン信号挿入部、１７  ＦＥＣ誤り訂正符号部、１８  Ｅ／Ｏ変換部、２１  Ｏ／Ｅ変換部、２２  ＦＥＣフレーム終端部、２３Ａ  検査用信号抽出部、２３Ｂ  ＰＮ信号抽出部、２３Ｃ  固定パターン信号抽出部、２４Ａ  検査用信号生成部、２４Ｂ  ＰＮ信号生成部、２４Ｃ  固定パターン信号生成部、２５Ａ  検査用信号照合部、２５Ｂ  ＰＮ信号照合部、２５Ｃ  固定パターン信号照合部、２６  ＦＥＣ誤り訂正復号部、２７  信号変換部、２８  Ｅ／Ｏ変換部。
【図１】
2004222073.tif 000003
【図２】
2004222073.tif 000004
【図３】
2004222073.tif 000005
【図４】
2004222073.tif 000006
【図５】
2004222073.tif 000007
【図６】
2004222073.tif 000008
【図７】
2004222073.tif 000009